(57)【特許請求の範囲】
【請求項１】
本体の少なくとも前面上部に吸込口と前面下部に吹出口とを設け、前記吸込口と前記吹出口とを結ぶ空気通路に、平行に並べられた複数のフィンと、同フィンに直交する複数の伝熱管とからなり前部熱交換器と後部熱交換器とで逆Ｖ字形状に形成された熱交換器と、送風ファンとを設けてなる空気調和機において、
前記前部熱交換器が、垂直部と、同垂直部の上端を折曲して後方に傾斜させた後方傾斜部とからなり、前記後部熱交換器が、前記後方傾斜部の背面側に配置されてなり、前記後方傾斜部に第一および第二の流入口と第一および第二の流出口とを夫々設けるとともに、前記後方傾斜部の前列の伝熱管と前記垂直部の前列の伝熱管とを接続し、前記垂直部の前列下端の伝熱管と前記後部熱交換器の後列下端伝熱管とを第一接続配管で接続する一方、前記後方傾斜部の後列の伝熱管と前記垂直部の後列の伝熱管とを接続し、前記後部熱交換器の前列下端の伝熱管と前記垂直部の後列下端の伝熱管とを第二接続配管により接続してなることを特徴とする空気調和機。
【請求項２】
前記複数の冷媒流路を流れる冷媒が、夫々相対向した方向に流れることを特徴とする請求項１に記載の空気調和機。
【発明の詳細な説明】
【０００１】
【発明の属する技術分野】
本発明は、空気調和機に係わり、より詳細には、室内熱交換器に形成された複数の冷媒流路の構成に関する。
【０００２】
【従来の技術】
従来の空気調和機は、例えば図２（Ａ）で示すように、熱交換器４０を、垂直部４０ａと、同垂直部４０ａの上端を折曲して後方に傾斜させた後方傾斜部４０ｂとからなる前部熱交換器と、前記後方傾斜部４０ｂの上端を折曲して下方に傾斜させた下方傾斜部４０ｃからなる後部熱交換器とで逆Ｖ字形状に形成し、内部に２系統の第一冷媒流路４１及び第二冷媒流路４２を形成し、同熱交換器４０の下流側に送風ファン６を設けている。前記後方傾斜部４０ｂには、冷房運転の際、冷媒の流入口となる接続口４１ａ及び４２ａと、冷媒の流出口となる接続口４１ｂ及び４２ｂとが設けられ、前記第一冷媒流路４１は、前記接続口４１ａから接続配管を経て前記下方傾斜部４０ｃを循環し更に接続配管を経て前記後方傾斜部４０ｂに戻り前記接続口４１ｂに接続されている。前記第二冷媒流路４２は、前記接続口４２ａから前記後方傾斜部４０ｂの伝熱管を経て前記垂直部４０ａに接続され、同垂直部４０ａを循環して再び前記後方傾斜部４０ｂに戻り、前記接続口４２ｂに接続されている。
【０００３】
しかしながら、例えば図３（Ｂ）で示すように、前記後方傾斜部４０ｂの前面に補助熱交換器４３を設置して、同補助熱交換器４３の接続口４４ａを第二冷媒流路４４の冷媒流入口とすると、前記第一冷媒流路４１と前記第二冷媒流路４４との流路長に差異を生じる一方、前記後方傾斜部４０ｂでの吸込空気に対する流路抵抗が増加し、これらにより前記第一冷媒流路４１と前記第二冷媒流路４４とに熱交換容量の差が生じることとなる。また、例えば前記下方傾斜部４０ｃの背面に多量の埃が付着した場合には、前記下方傾斜部４０ｃの吸込空気に対する流路抵抗が増加し、前記第一冷媒流路４１での熱交換容量が低下することとなる。前記第一冷媒流路４１と前記第二冷媒流路４４との間に熱交換容量の差が生じると、いわゆるパスバランスが崩れ、前記送風ファン６に温度差のある空気が流れ込み、高温の空気が低温の空気により冷却された際、前記送風ファン６の表面に結露を発生させることとなる。前記送風ファン６の表面に結露した結露水は、運転中に吹出口から室内に飛散する恐れがあり、これらの点からパスバランスを安定させる空気調和機の出現が望まれていた。
【０００４】
【発明が解決しようとする課題】
本発明は上記問題点に鑑み、補助熱交換器を追加した場合や、多量の埃が付着した場合においても、冷媒流路間のパスバランスが安定する室内熱交換器を有した空気調和機を提供することを目的とする。
【０００５】
【課題を解決するための手段】
本発明は上記課題を解決するため、本体の少なくとも前面上部に吸込口と前面下部に吹出口とを設け、前記吸込口と前記吹出口とを結ぶ空気通路に、平行に並べられた複数のフィンと、同フィンに直交する複数の伝熱管とからなり前部熱交換器と後部熱交換器とで逆Ｖ字形状に形成された熱交換器と、送風ファンとを設けてなる空気調和機において、
前記前部熱交換器が、垂直部と、同垂直部の上端を折曲して後方に傾斜させた後方傾斜部とからなり、前記後部熱交換器が、前記後方傾斜部の背面側に配置されてなり、前記後方傾斜部に第一および第二の流入口と第一および第二の流出口とを夫々設けるとともに、前記後方傾斜部の前列の伝熱管と前記垂直部の前列の伝熱管とを接続し、前記垂直部の前列下端の伝熱管と前記後部熱交換器の後列下端伝熱管とを第一接続配管で接続する一方、前記後方傾斜部の後列の伝熱管と前記垂直部の後列の伝熱管とを接続し、前記後部熱交換器の前列下端の伝熱管と前記垂直部の後列下端の伝熱管とを第二接続配管により接続してなる構成となっている。
【０００７】
更に、前記複数の冷媒流路を流れる冷媒が夫々相対向した方向に流れる構成となっている。
【０００８】
【発明の実施の形態】
以下、本発明の実施の形態を、添付図面に基づいた実施例として詳細に説明する。
図１は本発明による空気調和機を示す断面図である。
本発明による空気調和機は、図１で示すように、本体の前面上部に前面吸込口１を、上面に上面吸込口２を夫々設け、前面下部に複数の風向偏向板４を備えた吹出口３を設けている。前記前面吸込口１及び前記上面吸込口２と、前記吹出口３とを結ぶ空気通路には、平行に並べられた複数のフィンと、同フィンに直交するように蛇行状に配設された伝熱管とからなる熱交換器５と、同熱交換器５で熱交換された空気を前記吹出口３から室内に送出する送風ファン８とが設けられている。
【０００９】
前記熱交換器５は、垂直部６ａと、同垂直部６ａの上端を折曲して後方に傾斜させた後方傾斜部６ｂとからなる前部熱交換器６と、前記後方傾斜部６ｂの上端を折曲して下方に傾斜させた後部熱交換器７とで逆Ｖ字形状に形成され、前記垂直部６ａ、前記後方傾斜部６ｂ及び前記後部熱交換器７に、前列と後列とに区分された二列の伝熱管を夫々配設し、これらで後述する第一冷媒流路９ａと第二冷媒流路９ｂとを形成している。前記後方傾斜部６ｂの前面側には、冷房運転の際、冷媒の流入口となる第一流入１０ａと第二流入口１０ｂとが設けられ、後面側には、冷媒の流出口となる第一流出口２１ａと第二流出口２１ｂとが夫々設けられている。前記後方傾斜部６ｂの前列上端の伝熱管と前記後部熱交換器７の後列上端の伝熱管とは第二Ｕ字管１２により、前記後方傾斜部６ｂの後列上端の伝熱管と前記後部熱交換器７の前列上端の伝熱管とは第一Ｕ字管１１により夫々接続され、前記後方傾斜部６ｂの前列下端の伝熱管と前記垂直部６ａの前列上端の伝熱管とは第三Ｕ字管１３により、前記後方傾斜部６ｂの後列下端の伝熱管と前記垂直部６ａの後列上端の伝熱管とは第四Ｕ字管１４により夫々接続されている。また、前記垂直部６ａの前列下端の伝熱管に備えられた接続口２０と前記後部熱交換器７の前列下端の伝熱管に備えられた接続口１６とは、複数の折曲箇所を有した第一接続配管１７により接続され、前記垂直部６ａの後列下端の伝熱管に備えられた接続口１９と、前記後部熱交換器７の後列下端の伝熱管に備えられた接続口１５とは複数の折曲箇所を有した第二接続配管１８により接続されている。
【００１０】
第一冷媒流路９ａは前記後方傾斜部６ｂの前記第一流入口１０ａから、同後方傾斜部６ｂと前記垂直部６ａの前列の伝熱管を通り、前記第一接続配管１７を介して前記後部熱交換器７の前列の伝熱管に至り、同後部熱交換器７の前列の伝熱管から前記第一Ｕ字管１１を介して前記後方傾斜部６ｂの後列の伝熱管に至り、前記第一流出口２１ａに接続されている。第二冷媒流路９ｂは、前記後方傾斜部６ｂの前記第二流入口１０ｂから前記第二Ｕ字管１２を経て前記後部熱交換器７の後列の伝熱管を通り、前記第二接続配管１８を介して前記垂直部６ａの後列の伝熱管に接続し、同垂直部６ａの後列の伝熱管と前記後方傾斜部６ｂの後列の伝熱管を経て前記第二流出口２１ｂに接続されている。
【００１１】
図１の矢印で示すように、冷房運転時、冷媒は前記後方傾斜部６ｂの前記第一流入口１０ａと前記第二流入口１０ｂとから前記熱交換器５に流入し、前記第一流入口１０ａから流入した冷媒は前記第一冷媒流路７を通り、前記後方傾斜部６ｂと前記垂直部６ａとの前列の伝熱管で熱交換し、続いて前記第一接続配管１７を介して前記後部熱交換器７の前列の伝熱管に流入し、同後部熱交換器７で熱交換した後、前記第一流出口２１ａから流出する。前記第二流入口１０ｂから流入した冷媒は前記第二冷媒流路９ｂに流入し、前記第二Ｕ字管１２を経て前記後部熱交換器７の後列の伝熱管で熱交換した後、前記第二接続配管１８を介して前記垂直部６ａの後列の伝熱管に流入し、同垂直部６ａの後列の伝熱管と前記後方傾斜部６ｂの後列の伝熱管とで熱交換した後、前記第二流出口２１ｂから流出するようになっている。
【００１２】
例えば、前記後部熱交換器７の背面に多量の埃が付着したような場合、前記前面吸込口２及び前記上面吸込口３から吸込まれた空気に対する前記後部熱交換器７の流路抵抗が増大し、同後部熱交換器７での熱交換の効率が低下する。この際、本発明による空気調和機においては、前記後部熱交換器７に前記第一冷媒流路９ａと前記第二冷媒流路９ｂとが、平行して形成されていることにより、熱交換の効率の低下は、前記第一冷媒流路９ａと前記第二冷媒流路９ｂとに等しく影響し、これらの冷媒流路のパスバランスを保つようになっている。
【００１３】
【発明の効果】
以上説明したように、本発明によると、前記熱交換器と後部熱交換器とからなる熱交換器に第一冷媒流路と第二冷媒流路とを交差するように設けることにより、いずれかの部位に埃等が付着し熱交換の効率が低下したとしても、パスバランスを保つことのできる空気調和機となる。
【図面の簡単な説明】
【図１】本発明による空気調和機を示す断面図である。
【図２】（Ａ）は従来例による空気調和機に備えられた熱交換器の一例を示す要部断面図である。
（Ｂ）は従来例による空気調和機に備えられた熱交換器の他の例を示す要部断面図である。
【符号の説明】
１  前面吸込口
２  上面吸込口
３  吹出口
４  風向偏向板
５  熱交換器
６  前部熱交換器
６ａ  垂直部
６ｂ  後方傾斜部
７  後部熱交換器
８  送風ファン
９ａ  第一冷媒流路
９ｂ  第二冷媒流路
１０ａ  第一流入口
１０ｂ  第二流入口
１１  第一Ｕ字管
１２  第二Ｕ字管
１３  第三Ｕ字管
１４  第四Ｕ字管
１５  接続口
１６  接続口
１７  第一接続配管
１８  第二接続配管
１９  接続口
２０  接続口
２１ａ  第一流出口
２１ｂ  第二流出口
【図１】
0004862218.tif 000002
【図２】
0004862218.tif 000003